(57)【要約】【課題】煩雑な操作を行うことなく、複数の通信モジュールを切換えて無線通信を行う通信装置、通信方法、およびプログラムを提供する。【解決手段】通信装置２に、複数の無線通信方式それぞれに対応した無線通信モジュール２４１が接続される複数のスロット２４−１〜ｎと、予め定められた複数のスロット２４−１〜ｎの優先順位に基づいて、優先順位が高い順に複数のスロット２４−１〜ｎに接続された、中継装置３を介して通信可能な無線通信モジュール２４１−１〜ｎのうち、優先順位の最も高い無線通信モジュール２４１を特定し、特定されたスロット２４に接続された無線通信モジュール２４１を用いて中継装置３を介して通信を行うＣＰＵ２６とを設ける。【選択図】  図２
2004165724.tif 000002
【特許請求の範囲】
【請求項１】
複数の無線通信方式を用いて中継装置を介して無線通信を行う通信装置であって、
前記複数の無線通信方式それぞれに対応した無線通信モジュールが接続される複数の接続手段と、
予め定められた前記複数の接続手段の優先順位に基づいて、前記優先順位が高い順に前記複数の接続手段に接続された、前記中継装置を介して通信可能な前記無線通信モジュールのうち、前記優先順位の最も高い前記無線通信モジュールを特定し、前記特定された前記接続手段に接続された前記無線通信モジュールを用いて前記中継装置を介して通信を行う制御手段とを有する
通信装置。
【請求項２】
前記接続手段の優先順位を示す優先順位テーブルを記憶する記憶手段を有し、
前記制御手段は、前記記憶手段に記憶されている前記優先順位テーブルに基づいて、前記優先順位が高い順に前記複数の接続手段に接続された、前記中継装置を介して通信可能な前記無線通信モジュールのうち、前記優先順位の最も高い前記無線通信モジュールを特定し、前記特定された前記接続手段に接続された前記無線通信モジュールを用いて前記中継装置を介して通信を行う
請求項１に記載の通信装置。
【請求項３】
複数の無線通信方式を用いて中継装置を介して無線通信を行う通信装置であって、
前記複数の無線通信方式それぞれに対応した無線通信モジュールが接続される複数の接続手段と、
前記中継装置を介した無線通信を行う際に、前記複数の接続手段に接続されている前記無線通信モジュールの内から、当該中継装置からの電波受信状態に基づいて一番良好な電波受信状態にある前記無線通信モジュールを検索して特定し、前記特定された前記接続手段に接続された前記無線通信モジュールを用いて前記中継装置を介して通信を行う制御手段とを有する
通信装置。
【請求項４】
複数の無線通信方式を用いて中継装置を介して無線通信を行う通信装置であって、
前記複数の無線通信方式それぞれに対応した無線通信モジュールが接続される複数の接続手段と、
前記中継装置を介して接続先の通信装置と無線通信を行う際に、前記複数の接続手段に接続されている前記無線通信モジュールを介して同時に無線通信を試み、最初に前記接続先の通信装置と通信可能である前記無線通信モジュールを用いて前記中継装置を介して前記接続先の通信装置と通信を行う制御手段とを有する通信装置。
【請求項５】
複数の無線通信方式を用いて中継装置を介して無線通信を行う通信装置の通信方法であって、
予め定められた、前記複数の無線通信方式それぞれに対応した無線通信モジュールが接続される複数の接続手段の優先順位に基づいて、前記優先順位が高い順に前記複数の接続手段に接続された、前記中継装置を介して通信可能な前記無線通信モジュールのうち、前記優先順位の最も高い前記無線通信モジュールを特定する第１の工程と、
前記第１の工程により前記特定された前記接続手段に接続された前記無線通信モジュールを用いて前記中継装置を介して通信を行う第２の工程とを有する通信方法。
【請求項６】
複数の無線通信方式を用いて中継装置を介して無線通信を行う通信装置の通信方法であって、
前記中継装置を介した無線通信を行う際に、前記複数の無線通信方式それぞれに対応した無線通信モジュールが接続される複数の接続手段に接続されている前記無線通信モジュールの内から、当該中継装置からの電波受信状態に基づいて一番良好な電波受信状態にある前記無線通信モジュールを検索して特定する第１の工程と、
前記第１の工程により前記特定された前記接続手段に接続された前記無線通信モジュールを用いて前記中継装置を介して通信を行う第２の工程とを有する
通信方法。
【請求項７】
複数の無線通信方式を用いて中継装置を介して無線通信を行う通信装置の通信方法であって、
前記中継装置を介して接続先の通信装置と無線通信を行う際に、前記複数の無線通信方式それぞれに対応した無線通信モジュールが接続される複数の接続手段に接続されている前記無線通信モジュールを介して同時に無線通信を試みる第１の工程と、
前記第１の工程により最初に前記接続先の通信装置と通信可能である前記無線通信モジュールを用いて前記中継装置を介して前記接続先の通信装置と通信を行う第２の工程とを有する
通信方法。
【請求項８】
複数の無線通信方式を用いて中継装置を介して無線通信を行う通信装置に実行させるためのプログラムであって、
予め定められた、前記複数の無線通信方式それぞれに対応した無線通信モジュールが接続される複数の接続手段の優先順位に基づいて、前記優先順位が高い順に前記複数の接続手段に接続された、前記中継装置を介して通信可能な前記無線通信モジュールのうち、前記優先順位の最も高い前記無線通信モジュールを特定する第１の手順と、
前記第１の手順により前記特定された前記接続手段に接続された前記無線通信モジュールを用いて前記中継装置を介して通信を行う第２の手順とを実行させるための
プログラム。
【請求項９】
複数の無線通信方式を用いて中継装置を介して無線通信を行う通信装置に実行させるためのプログラムであって、
前記中継装置を介した無線通信を行う際に、前記複数の無線通信方式それぞれに対応した無線通信モジュールが接続される複数の接続手段に接続されている前記無線通信モジュールの内から、当該中継装置からの電波受信状態に基づいて一番良好な電波受信状態にある前記無線通信モジュールを検索して特定する第１の手順と、
前記第１の手順により前記特定された前記接続手段に接続された前記無線通信モジュールを用いて前記中継装置を介して通信を行う第２の手順とを実行させるための
プログラム。
【請求項１０】
複数の無線通信方式を用いて中継装置を介して無線通信を行う通信装置に実行させるためのプログラムであって、
前記中継装置を介して接続先の通信装置と無線通信を行う際に、前記複数の無線通信方式それぞれに対応した無線通信モジュールが接続される複数の接続手段に接続されている前記無線通信モジュールを介して同時に無線通信を試みる第１の手順と、
前記第１の手順により最初に前記接続先の通信装置と通信可能である前記無線通信モジュールを用いて前記中継装置を介して前記接続先の通信装置と通信を行う第２の手順とを実行させるための
プログラム。
【発明の詳細な説明】
【０００１】
【発明の属する技術分野】
本発明は、例えば、無線通信を行う通信装置、通信方法、およびプログラムに関するものである。
【０００２】
【従来の技術】
従来、中継装置を介して所望の通信先の通信装置と無線通信を行う通信装置が知られている。
そして、通信状態が悪い場合であっても、通信先の通信装置と無線通信を行うために、複数の無線通信方式の無線通信モジュールを有する通信装置も知られている。
【０００３】
【発明が解決しようとする課題】
しかし、例えば所定の無線通信モジュールを用いて通信を行う際に、その無線通信モジュールに対応する中継装置までの無線区間で通信状態が悪く通信が行えない場合がある。その際、上述した通信装置において、ユーザは手動により他の無線通信モジュールに切換え、その切換えられた無線通信モジュールの接続設定を行い、その無線通信モジュールを用いて中継装置を介して所望の通信先の通信装置と無線通信を行うという煩雑な操作を行っていた。
【０００４】
本発明は、かかる事情に鑑みてなされたものであり、その目的は、煩雑な操作を行うことなく、複数の通信モジュールを切換えて無線通信を行う通信装置、通信方法、およびプログラムを提供することである。
【０００５】
【課題を解決するための手段】
前記目的を達成するために、第１の発明の通信装置は、第１の複数の無線通信方式を用いて中継装置を介して無線通信を行う通信装置であって、前記複数の無線通信方式それぞれに対応した無線通信モジュールが接続される複数の接続手段と、予め定められた前記複数の接続手段の優先順位に基づいて、前記優先順位が高い順に前記複数の接続手段に接続された、前記中継装置を介して通信可能な前記無線通信モジュールのうち、前記順位の最も高い前記無線通信モジュールを特定し、前記特定された前記接続手段に接続された前記無線通信モジュールを用いて前記中継装置を介して通信を行う制御手段とを有する。
【０００６】
第１の発明の通信装置によれば、複数の接続手段では、複数の無線通信方式それぞれに対応した無線通信モジュールが接続される。
制御手段では、予め定められた複数の接続手段の優先順位に基づいて、優先順位が高い順に複数の接続手段に接続された、中継装置を介して通信可能な無線通信モジュールのうち、順位の最も高い無線通信モジュールを特定し、特定された接続手段に接続された無線通信モジュールを用いて中継装置を介して通信を行う。
【０００７】
さらに、前記目的を達成するために、第２の発明の通信装置は、複数の無線通信方式を用いて中継装置を介して無線通信を行う通信装置であって、前記複数の無線通信方式それぞれに対応した無線通信モジュールが接続される複数の接続手段と、前記中継装置を介した無線通信を行う際に、前記複数の接続手段に接続されている前記無線通信モジュールの内から、当該中継装置からの電波受信状態に基づいて一番良好な電波受信状態にある前記無線通信モジュールを検索して特定し、前記特定された前記接続手段に接続された前記無線通信モジュールを用いて前記中継装置を介して通信を行う制御手段とを有する。
【０００８】
さらに、前記目的を達成するために、第３の発明の通信方法は、複数の無線通信方式を用いて中継装置を介して無線通信を行う通信装置の通信方法であって、前記複数の無線通信方式それぞれに対応した無線通信モジュールが接続される複数の接続手段の、予め定められた優先順位に基づいて前記優先順位が高い順に前記複数の接続手段に接続された前記無線通信モジュールの内から、前記中継装置を介して通信可能な前記無線通信モジュールを検索して特定する第１の工程と、前記第１の工程により前記特定された前記接続手段に接続された前記無線通信モジュールを用いて前記中継装置を介して通信を行う第２の工程とを有する。
【０００９】
さらに、前記目的を達成するために、第４の発明の通信方法は、複数の無線通信方式を用いて中継装置を介して無線通信を行う通信装置の通信方法であって、前記中継装置を介した無線通信を行う際に、前記複数の無線通信方式それぞれに対応した無線通信モジュールが接続される複数の接続手段に接続されている前記無線通信モジュールの内から、当該中継装置からの電波受信状態に基づいて一番良好な電波受信状態にある前記無線通信モジュールを検索して特定する第１の工程と、前記第１の工程により前記特定された前記接続手段に接続された前記無線通信モジュールを用いて前記中継装置を介して通信を行う第２の工程とを有する。
【００１０】
さらに、前記目的を達成するために、第５の発明のプログラムは、複数の無線通信方式を用いて中継装置を介して無線通信を行う通信装置に実行させるためのプログラムであって、前記複数の無線通信方式それぞれに対応した無線通信モジュールが接続される複数の接続手段の、予め定められた優先順位に基づいて前記優先順位が高い順に前記複数の接続手段に接続された前記無線通信モジュールの内から、前記中継装置を介して通信可能な前記無線通信モジュールを検索して特定する第１の手順と、前記第１の手順により前記特定された前記接続手段に接続された前記無線通信モジュールを用いて前記中継装置を介して通信を行う第２の手順とを実行させる。
【００１１】
さらに、前記目的を達成するために、第６の発明のプログラムは、複数の無線通信方式を用いて中継装置を介して無線通信を行う通信装置に実行させるためのプログラムであって、前記中継装置を介した無線通信を行う際に、前記複数の無線通信方式それぞれに対応した無線通信モジュールが接続される複数の接続手段に接続されている前記無線通信モジュールの内から、当該中継装置からの電波受信状態に基づいて一番良好な電波受信状態にある前記無線通信モジュールを検索して特定する第１の手順と、前記第１の手順により前記特定された前記接続手段に接続された前記無線通信モジュールを用いて前記中継装置を介して通信を行う第２の手順とを実行させる。
【００１２】
【発明の実施の形態】
第１実施形態
図１は、本発明に係る通信装置を用いた通信システムの第１実施形態の全体図である。
本実施形態に係る通信システム１は、通信装置２、中継装置３、および接続先の通信装置４とを有する。
通信装置２は本発明に係る通信装置であり、中継装置３は本発明に係る中継装置である。
【００１３】
通信装置２は、複数の無線通信方式を用いて中継装置３を介して無線通信を行う。例えば通信装置２は可搬型通信装置である。
中継装置３は、無線通信方式により通信装置２と通信し、例えば接続先の通信装置４と有線方式により接続され、接続先の通信装置４と通信を行う。
【００１４】
中継装置３は、例えば複数の中継装置３−１〜ｎを有する。
中継装置３−１〜ｎそれぞれは、通信装置２に対して異なる通信可能範囲ｃ＿３−１〜ｎを有する。
【００１５】
中継装置３−１〜ｎは、例えばＰＨＳ（Ｐｅｒｓｏｎａｌ  ｈａｎｄｙｐｈｏｎｅ  ｓｙｓｔｅｍ）の中継装置や、携帯電話や、ＩＭＴ２０００（Ｉｎｔｅｒｎａｔｉｏｎａｌ  Ｍｏｂｉｌｅ  Ｔｅｌｅｃｏｍｍｕｎｉｃａｔｉｏｎ  ２０００  ）等のワイドバンドＣＤＭＡ方式の無線通信の中継装置である。
【００１６】
例えば、ＰＨＳの中継装置３は、例えば無線通信方式として、時間分割による多重アクセスＴＤＭＡ（Ｔｉｍｅ  ｄｉｖｉｓｉｏｎ  ｍｕｌｔｉｐｌｅ  ａｃｃｅｓｓ  ）方式、時分割複信伝送（ＴＤＤ：Ｔｉｍｅ  ｄｉｖｉｓｉｏｎ  ｄｕｐｌｅｘ）方式、π／４−ＱＰＳＫ（Ｑｕａｄｒａｔｕｒｅ  ｐｈａｓｅ  ｓｈｉｆｔ  ｋｅｙｉｎｇ  ）変調方式であり、５００ｍＷ以下の空中線電力である。通信可能範囲ｃ＿３としては中継装置３から数１０ｍである。例えばＰＨＳにおいてはＰＩＡＦＳ（ＰＨＳ  ｉｎｔｅｒｎｅｔ  ａｃｃｅｓｓ  ｆｏｒｕｍ  ｓｔａｎｄａｒｄ）方式のデジタル通信を行う。
【００１７】
携帯電話の中継装置３は、例えば無線方式として、ＰＤＣ（Ｐｅｒｓｏｎａｌ  ｄｉｇｉｔａｌｃｅｌｌｕｌａｒ  ）方式である。通信可能範囲ｃ＿３としては中継装置３から数１００ｍ〜数１０ｋｍである。
【００１８】
また、図示しないが、それぞれの無線通信方式による複数の中継装置３を通信可能範囲ｃ＿３を有するセルごとに配置して、より広範囲な通信可能範囲ｃ＿３を有する形態にしてもよい。例えばこの中継装置３として既存の通信接続サービス会社それぞれにより提供されている中継装置３を利用する場合には、通信接続サービス会社それぞれにより通信装置２との通話可能範囲ｃ＿３が異なる。
【００１９】
図２は、図１に示した通信装置２のブロック図である。
通信装置２は、図２に示すように、スピーカ２１、マイク２２、カメラ２３、スロット２４、メモリ２５、およびＣＰＵ２６を有する。
【００２０】
スピーカ２１、マイク２２、カメラ２３、スロット２４、メモリ２５、およびＣＰＵ２６は、バスＢＳに接続されている。
ＣＰＵ２６は、本発明に係る制御手段に相当する。スロット２４には、無線通信モジュール２４１が接続されている。
【００２１】
スピーカ２１は、ＣＰＵ２６の制御により、スロット２４を介して無線通信モジュール２４１で受信された音声信号Ｓ２１に応じた発音を行う。
【００２２】
マイク２２は、例えば音声を電気的な音声信号Ｓ２２に変換しＣＰＵ２６に出力する。ＣＰＵ２６はマイク２２から出力された音声信号Ｓ２２に基づいて、例えばスロット２４に接続される無線通信モジュール２４１を介して音声信号Ｓ２２を中継装置３に送信する。
【００２３】
カメラ２３は、撮像装置であり、撮像した映像を電気的な映像信号Ｓ２３に変換しＣＰＵ２６に出力する。ＣＰＵ２６はカメラ２３から出力された映像信号Ｓ２３に基づいて、例えばスロット２４に接続される無線通信モジュール２４１を介して映像信号を中継装置３に送信する。
【００２４】
スロット２４は、複数のスロット２４−１〜ｎを有し、スロット２４−１〜ｎそれぞれには、無線通信モジュール２４１−１〜ｎが接続される。
この複数のスロット２４は、本発明に係る複数の接続手段に相当する。
【００２５】
無線通信モジュール２４１は、中継装置３の無線通信方式それぞれに対応している。無線通信モジュール２４１は、例えばＣＰＵ２６の制御に応じて、上述したＰＨＳや携帯電話、ＩＭＴ２０００等の無線通信方式により、中継装置３と通信を行う。
【００２６】
例えばＰＨＳ＿ａおよびＰＨＳ＿ｂ、並びに、携帯電話＿ａおよび携帯電話＿ｂそれぞれは、異なる通信接続サービス会社により提供される中継装置３を利用した場合を説明する。また、無線ＬＡＮの中継装置３を利用する場合も説明する。無線ＬＡＮの無線通信方式としては、例えばＩＥＥＥ８０２．１１ａ、ＩＥＥＥ８０２．１１ｂ、Ｂｌｕｅｔｏｏｔｈ等の所定の無線通信方式である。
【００２７】
例えば、無線通信モジュール２４１−１は、中継装置３−１のＰＨＳ＿ａの無線通信方式に対応した無線通信モジュールである。無線通信モジュール２４１−２は、中継装置３−２のＰＨＳ＿ｂの無線通信方式に対応した無線通信モジュールである。無線通信モジュール２４１−３は、中継装置３−３の携帯電話＿ａの無線通信方式に対応した無線通信モジュールである。無線通信モジュール２４１−４は、中継装置３−４の携帯電話＿ｂの無線通信方式に対応した無線通信モジュールである。無線通信モジュール２４１−５は、中継装置３−５の無線ＬＡＮの無線通信方式に対応した無線通信モジュールである。
【００２８】
メモリ２５は、ＣＰＵ２６の制御により所定のデータが書込まれ、ワークスペースとしても用いられる。
また、メモリ２５は、プログラムｐ２５、優先順位テーブルｔ２５を有する。
プログラムｐ２５は、例えばＣＰＵ２６によりメモリ２５から読出され実行される。
【００２９】
優先順位テーブルｔ２５は、例えば予めスロット２４−１〜ｎそれぞれに優先順位が対応付けられて設定されている。
例えば、優先順位テーブルｔ２５は、スロット２４−１，スロット２４−２，スロット２４−３，スロット２４−４，スロット２４−５，…，スロット２４−ｎと、優先順位として１，２，３，４，５，…，ｎとが対応付けられて設定されている。
ＣＰＵ２６は、メモリ２５に記憶されているプログラムｐ２５および優先順位テーブルｔ２５に基づいて通信に関する処理を行う。
【００３０】
図３は、図１に示した通信装置２のＣＰＵの機能ブロック図である。
ＣＰＵ２６は、通信制御部２６１、切換部２６２、および無線通信モジュール制御部２６３を有する。
【００３１】
通信制御部２６１は、切換部２６２により特定された無線通信モジュール２４１に対応する無線通信モジュール制御部２６３を介して無線通信を行う、切換部２６２および無線通信モジュール制御部２６３の上位の制御部である。
通信制御部２６１は、例えばマイク２２から出力された音声信号Ｓ２２、およびカメラ２３から出力された映像信号Ｓ２３に基づいて上述の無線通信を行う。
【００３２】
切換部２６２は、予め定められた複数のスロット２４の優先順位に基づいて、優先順位が高い順に複数のスロット２４−１に接続された、中継装置３を介して通信可能な無線通信モジュール２４１のうち、優先順位の最も高い無線通信モジュール２４１に切換えて特定する。
【００３３】
詳細には、切換部２６２は、メモリ２５に記憶されている優先順位テーブルｔ２５に基づいて、スロット２４−１〜ｎに接続された無線通信モジュール２４１−１〜ｎのうち優先順位の高い順に無線通信モジュール２４１を検索して、中継装置３を介して通信可能な無線通信モジュール２４１に切換えて特定する。
【００３４】
無線通信モジュール制御部２６３は、スロット２４に接続された無線通信モジュール２４１の初期設定等や無線通信モジュール２４１それぞれ固有の設定を行い、通信制御部２６１および切換部２６２の制御のもと、スロット２４に接続された無線通信モジュール２４１を介して中継装置３と無線通信を行う。
無線通信モジュール制御部２６３は、例えば、スロット２４−１〜ｎに接続された無線通信モジュール２４１−１〜ｎそれぞれに対応して、複数の無線通信モジュール制御部２６３−１〜ｎを有する。
【００３５】
図４は、図１に示した通信装置２の動作を説明するためのフローチャートである。通信装置２の動作を図４を参照しながらＣＰＵ２６の動作を中心に説明する。
【００３６】
ＣＰＵ２６では、複数の無線通信方式それぞれに対応した無線通信モジュール２４１−１〜ｎが接続される複数のスロット２４−１〜ｎの、予め定められた優先順位に基づいて、優先順位が高い順に複数のスロット２４−１〜ｎに接続された、中継装置３を介して通信可能な無線通信モジュール２４１のうち、優先順位の最も高い無線通信モジュール２４１−１〜ｎを検索して特定する。
【００３７】
詳細には、スロット２４−１〜ｎに無線通信モジュール２４１−１〜ｎが接続されると、無線通信モジュール制御部２６３では、接続された無線通信モジュール２４１の初期設定等が行われる。
【００３８】
ステップＳＴ１において、切換部２６２では、メモリ２５から優先順位テーブルｔ２５を読出す。
ステップＳＴ２において、切換部２６２では、その優先順位テーブルｔ２５に基づいて、複数の無線通信方式それぞれに対応した無線通信モジュール２４１−１〜ｎが接続される複数のスロット２４−１〜ｎの、予め定められた優先順位に基づいて、優先順位が高い順に複数のスロット２４−１〜ｎに接続された、中継装置３を介して通信可能な無線通信モジュール２４１−１〜ｎのうち、優先順位の最も高い無線通信モジュール２４１−１〜ｎに切換えて特定する。
【００３９】
ステップＳＴ３において、ＣＰＵ２６では、特定されたスロット２４−１〜ｎに接続された無線通信モジュール２４１を用いて中継装置３を介して通信を行う。詳細には、通信制御部２６１は、切換部２６２により特定されたスロット２４−１〜ｎに接続された無線通信モジュール２４１を用いて無線通信モジュール制御部２６３の制御により中継装置３を介して、通信先の通信装置４と通信を行う。
【００４０】
例えば、ＣＰＵ２６では、マイク２２から出力された音声信号Ｓ２２およびカメラ２３から出力された映像信号Ｓ２３を通信装置４に送信し、通信装置４から送信された音声信号Ｓ２１を受信してスピーカ２１から出力する。
【００４１】
以上、説明したように、通信装置２に、複数の無線通信方式それぞれに対応した無線通信モジュール２４１が接続される複数のスロット２４−１〜ｎと、予め定められた複数のスロット２４−１〜ｎの優先順位に基づいて、優先順位が高い順に複数のスロット２４−１〜ｎに接続された、中継装置３を介して通信可能な無線通信モジュール２４１−１〜ｎのうち、優先順位の最も高い無線通信モジュール２４１を特定し、特定されたスロット２４に接続された無線通信モジュール２４１を用いて中継装置３を介して通信を行うＣＰＵ２６とを設けたので、ユーザは無線通信モジュール２４１の切換を手動で行うという煩雑な操作を行うことなく、複数の無線通信モジュールを自動で切換えて通信を行うことができる。
【００４２】
スロット２４−１〜ｎそれぞれの優先順位の高い順に通信可能な無線通信モジュールを検索しているので、ユーザが優先順位の高い無線通信モジュール２４１、例えばデータ転送速度が速い無線通信方式の無線通信モジュール２４１を優先順位の高いスロット２４に接続することで、優先的にデータ転送速度が速い無線通信方式で通信を行うことができる。
【００４３】
また、例えば、中継装置３を介して通信を行う際に、その中継装置３を利用する際に発生する通信料金が安価な無線通信モジュールを優先順位の高いスロットに接続しておくことで、通信装置は安価な通信料金の通信モジュールを優先的に選択して、その選択した通信モジュールを介して通信を行うことができる。
【００４４】
第２実施形態
第２実施形態に係る通信装置１ａは、第１実施形態に係る通信装置１と略同様な構成であり、相違点のみ説明する。
図示しないが、通信装置１ａは、スピーカ２１、マイク２２、カメラ２３、スロット２４、メモリ２５、およびＣＰＵ２６ａを有する。
【００４５】
ＣＰＵ２６ａは、中継装置３を介した無線通信を行う際に、複数のスロット２４−１〜ｎに接続されている無線通信モジュール２４１−１〜ｎの内から、中継装置３からの電波受信状態に基づいて一番良好な電波受信状態にある無線通信モジュール２４１を検索して特定し、特定されたスロット２４に接続された無線通信モジュール２４１を用いて中継装置３を介して通信を行う。
【００４６】
詳細には、ＣＰＵ２６ａは、図示しないが、通信制御部２６１、切換部２６２ａ、無線通信モジュール制御部２６３とを有する。
切換部２６２ａは、中継装置３を介した無線通信を行う際に、複数のスロット２４−１〜ｎに接続されている無線通信モジュール２４１−１〜ｎの内から、中継装置３からの電波受信状態に基づいて一番良好な電波受信状態にある無線通信モジュール２４１を検索して特定する。
通信制御部２６１は、切換部２６２により特定されたスロット２４に接続された無線通信モジュール２４１を用いて中継装置３を介して通信を行う。
【００４７】
図５は、本発明に係る通信装置の第２実施形態の動作を説明するためのフローチャートである。図５を参照しながら、通信装置１ａの動作をＣＰＵ２６ａの動作を中心に説明する。ここでは第１実施形態に係る通信装置１との相違点のみ説明する。
【００４８】
ステップＳＴ１において、切換部２６２では、メモリ２５から優先順位テーブルｔ２５が読出される。
ステップＳＴ２ａにおいて、切換部２６２ａでは、中継装置３を介した無線通信を行う際に、優先順位テーブルｔ２５に基づいて優先順位の高い順に複数のスロット２４−１〜ｎに接続されている無線通信モジュール２４１−１〜ｎの内から、中継装置３からの電波受信状態に基づいて一番良好な電波受信状態にある無線通信モジュール２４１を検索して特定する。
【００４９】
ステップＳＴ３において、通信制御部２６１は、切換部２６２ａにより特定されたスロット２４−１〜ｎに接続された無線通信モジュール２４１を用いて無線通信モジュール制御部２６３の制御により中継装置３を介して、通信先の通信装置４と通信を行う。
【００５０】
以上説明したように、ＣＰＵ２６ａでは、中継装置３からの電波受信状態に基づいて一番良好な電波受信状態にある無線通信モジュール２４１を検索して特定するので、例えば、中継装置３の通信可能範囲ｃ＿３が重なった位置から通信を行う場合に、一番良好電波受信状態の無線方式により安定した通信を行うことができる。
【００５１】
第３実施形態
第３実施形態に係る通信装置１ｂは、第１実施形態に係る通信装置１と略同様な構成であり、相違点のみ説明する。
図示しないが、通信装置１ｂは、スピーカ２１、マイク２２、カメラ２３、スロット２４、メモリ２５、およびＣＰＵ２６ｂを有する。
【００５２】
ＣＰＵ２６ｂは、中継装置３を介して接続先の通信装置４と無線通信を行う際に、複数のスロット２４に接続されている無線通信モジュール２４１を介して同時に無線通信を試みる。
そして、ＣＰＵ２６ｂは、最初に接続先の通信装置４と通信可能である無線通信モジュール２４１を用いて中継装置３を介して接続先の通信装置４と通信を行う。
【００５３】
詳細には、ＣＰＵ２６ｂは、図示しないが、通信制御部２６１、切換部２６２ｂ、無線通信モジュール制御部２６３とを有する。
切換部２６２ｂは、中継装置３を介して接続先の通信装置４と無線通信を行う際に、複数のスロット２４に接続されている無線通信モジュール２４１の内、同時に、少なくとも２つの無線通信モジュール２４１を選択する。
通信制御部２６１は、切換部２６２ｂにより選択された無線通信モジュール２４１を用いて無線通信モジュール制御部２６３を介して、接続先の通信装置４と通信を試みる。
【００５４】
そして、切換部２６２ｂは、通信を試みた結果、最初に接続先の通信装置４と通信可能である無線通信モジュール２４１に切換える。通信制御部２６１は、切換部２６２ｂにより切換えられた無線通信モジュール２４１を用いて無線通信モジュール制御部２６３を介して、中継装置３を介して接続先の通信装置４と通信を行う。
【００５５】
図６は、本発明に係る通信装置の第３実施形態の動作を説明するためのフローチャートである。図６を参照しながら、通信装置１ｂの動作をＣＰＵ２６ｂの動作を中心に説明する。ここでは、第１実施形態に係る通信装置１との相違点のみ説明する。
【００５６】
ステップＳＴ１１において、同時に複数の接続を試みる。
詳細には、切換部２６２ｂにより、中継装置３を介して接続先の通信装置４と無線通信を行う際に、複数のスロット２４に接続されている無線通信モジュール２４１の内、同時に、少なくとも２つの無線通信モジュール２４１が選択される。
通信制御部２６１により、切換部２６２ｂにより選択された無線通信モジュール２４１を用いて無線通信モジュール制御部２６３を介して、接続先の通信装置４と通信を試みる。
【００５７】
ステップＳＴ１２において、切換部２６２ｂにより、通信を試みた結果、最初に接続先の通信装置４と通信可能である無線通信モジュール２４１が特定されて、特定された無線通信モジュール２４１に切換えられる。
【００５８】
ステップＳＴ１３において、通信制御部２６１では、切換部２６２ｂにより切換えられた無線通信モジュール２４１を用いて無線通信モジュール制御部２６３を介して、中継装置３を介して接続先の通信装置４と通信を行う。
【００５９】
以上説明したように、中継装置３を介して接続先の通信装置４と無線通信を行う際に、複数のスロット２３に接続されている無線通信モジュール２４１を介して同時に無線通信を試み、最初に接続先の通信装置４と通信可能である無線通信モジュール２４１を用いて中継装置３を介して接続先の通信装置４と通信を行うＣＰＵ２６ｂを設けたので、最初に接続された無線通信モジュール２４１を用いて通信を行うことができ、迅速に接続先の通信装置４と通信を行うことができる。
【００６０】
なお、本発明は本実施形態に限られるものではなく、任意好適な種々の変更が可能である。
本実施形態では、ＣＰＵ２６では、メモリ２５に予め記憶されている優先順位テーブルｔ２５に基づいて優先順位を決定したが、この形態に限られるものではない。例えば不図示の入力手段を設け、その入力手段から入力された新たな優先順位データに基づいて、優先順位テーブルｔ２５を変更することで、優先順位を自由に変えることができる。
こうすることにより、例えばスロット２４に、優先順位の高い無線通信モジュール２４１を順に、優先順位の高いスロット２４に並べ替えて接続するという煩雑な操作をすることなく、簡単に優先順位を変更することができる。
【００６１】
【発明の効果】
本発明によれば、煩雑な操作を行うことなく、複数の通信モジュールを切換えて無線通信を行う通信装置、通信方法、およびプログラムを提供することができる。
【図面の簡単な説明】
【図１】図１は、本発明に係る通信装置を用いた通信システムの第１実施形態の全体図である。
【図２】図２は、図１に示した通信装置２のブロック図である。
【図３】図３は、図１に示した通信装置２の機能ブロック図である。
【図４】図４は、図１に示した通信装置２の動作を説明するためのフローチャートである。
【図５】図５は、本発明に係る通信装置の第２実施形態の動作を説明するためのフローチャートである。
【図６】図６は、本発明に係る通信装置の第３実施形態の動作を説明するためのフローチャートである。
【符号の説明】
１…通信システム、２…通信装置、３…中継装置、４…接続先の通信装置、２１…スピーカ、２２…マイク、２３…カメラ、２４…スロット、２５…メモリ、２６…ＣＰＵ、２４１…無線通信モジュール、２６１…通信制御部、２６２…切換部、２６３…無線通信モジュール制御部。
【図１】
2004165724.tif 000003
【図２】
2004165724.tif 000004
【図３】
2004165724.tif 000005
【図４】
2004165724.tif 000006
【図５】
2004165724.tif 000007
【図６】
2004165724.tif 000008